(57)【要約】【課題】現在放送中の番組と同じような時間帯に放映される他のチャンネルの推薦番組リストを順位別に提供すること。【解決手段】双方向放送端末に番組放送中に他のチャンネルの番組検索サービスを提供する方法は、（ａ）ユーザ入力手段のキー入力に応答して、双方向放送端末の画面に検索サービスを提供するための検索領域を提供し、（ｂ）検索領域に、放送中の番組に関連したキーワードが自動入力された検索ウィンドウを提供し、（ｃ）検索領域に、放送中の番組と同じような時間帯に放映される他のチャンネルの推薦番組リストを順位別に提供し、（ｄ）検索領域に、放送中の番組の放送時間に近い順に各チャンネル別の番組リストを整列して提供することを含む。【選択図】図１２
2010158025.tif 000002
【特許請求の範囲】
【請求項１】
双方向放送端末に、番組放送中に他のチャンネルの番組検索サービスを提供する方法であって、
（ａ）ユーザ入力手段のキー入力に応答して、前記双方向放送端末の画面に前記検索サービスを提供するための検索領域を提供し、
（ｂ）前記検索領域に、前記放送中の番組に関連したキーワードが自動入力された検索ウィンドウを提供し、
（ｃ）前記検索領域に、他のチャンネルの番組リストを提供すること
を含む他のチャンネルの番組検索サービス提供方法。
【請求項２】
前記番組リストは、前記放送中の番組と同じような時間帯に放映される他のチャンネルの推薦番組リスト又は前記放送中の番組の放送時間に近い順に各チャンネル別の整列された番組リストのうちいずれか一つ以上であることを特徴とする請求項１に記載の他のチャンネルの番組検索サービス提供方法。
【請求項３】
前記推薦番組リスト中の推薦番組は、検索結果に基づく予想視聴率に基づいて順位が決定されることを特徴とする請求項２に記載の他のチャンネルの番組検索サービス提供方法。
【請求項４】
前記チャンネル別の整列された番組リストは、前記各チャンネルへの移動のために、各チャンネルの情報が表示されたチャンネル領域を選択することによって提供されることを特徴とする請求項２に記載の他のチャンネルの番組検索サービス提供方法。
【請求項５】
（ｄ）前記（ｃ）で提供された番組が選択された場合、前記放送中の番組を前記選択された番組に変更して放送することをさらに含むことを特徴とする請求項１に記載の他のチャンネルの番組検索サービス提供方法。
【請求項６】
（ｅ）前記（ｃ）で提供された番組が選択された場合、前記選択された番組に対する代表キーワードを前記検索ウィンドウに提供することをさらに含むことを特徴とする請求項４に記載の他のチャンネルの番組検索サービス提供方法。
【請求項７】
番組放送中に他のチャンネルの番組検索サービスを双方向放送端末に提供する番組を記録した記録媒体であって、請求項１乃至６のいずれか１項に記載の方法を実行させるためのソフトウェアが記録されたことを特徴とするコンピュータで読み取り可能な記録媒体。
【請求項８】
双方向放送端末に、番組放送中に他のチャンネルの番組検索サービスを提供する装置において、
放送編成情報に基づいて前記放送中の番組の放送時間を把握し、前記把握した放送時間と同じような時間帯に放映される各チャンネルの番組情報を抽出する番組情報抽出部と、
前記番組情報抽出部から抽出された番組情報に基づいて、他のチャンネルの番組リストを提供する番組リスト提供部と、
前記双方向放送端末から前記他のチャンネルに対する番組検索サービス要求が受信されル場合、前記番組リストを提供する検索領域を前記双方向放送端末に提供する検索領域提供部と、
を含むことを特徴とする他のチャンネルの番組検索サービス提供装置。
【請求項９】
前記番組リストは、前記放送中の番組の放送時間と同じような時間に放映される他のチャンネルの番組のうち、予想視聴率に基づく順に整列された推薦番組リスト又は前記放送中の番組の放送時間に近い順に各チャンネル別の整列された番組リストのうちいずれか一つ以上であることを特徴とする請求項８に記載の他のチャンネルの番組検索サービス提供装置。
【請求項１０】
前記検索領域は、前記各チャンネルへの移動のために、前記各チャンネルを表示するチャンネル領域を含むことを特徴とする請求項８に記載の他のチャンネルの番組検索サービス提供装置。
【請求項１１】
前記番組リストのうちいずれか一つの番組が選択された場合、前記選択された番組に関連した検索結果を前記検索領域に表示させる検索結果提供部をさらに含むことを特徴とする請求項８に記載の他のチャンネルの番組検索サービス提供装置。
【請求項１２】
前記番組リストのうちいずれか一つの番組が選択された場合、前記放送中の番組を前記選択された番組に変更して放送する番組切替部をさらに含むことを特徴とする請求項８に記載の他のチャンネルの番組検索サービス提供装置。
【発明の詳細な説明】
【技術分野】
【０００１】
本発明は、番組放送中に他のチャンネルの番組検索サービスを提供する方法及び装置に関し、より詳しくは、双方向放送端末に、番組放送中に他のチャンネルの番組検索サービスを提供する方法及び装置に関する。
【背景技術】
【０００２】
最近、放送とデータ通信との間の境界がなくなるのに伴なって、ビデオ・オン・デマンド（ＶＯＤ：Video On Demand）、データ放送、Ｔコマース、ＩＰテレビなどの双方向放送サービスが活発に開発されている。
【０００３】
このような双方向放送は、単純にすべてのユーザに同一の放送コンテンツを提供するという水準を越えて、リターンチャンネルを利用して視聴者の要求を反映し、視聴者が直接選択したコンテンツを提供するサービスも可能である。
【０００４】
一方、インターネットの多様なサービスが放送に融合することによって、インターネットサービスのうち最も主要なサービスの一つである検索サービスも放送受信機で実行されることが可能になった。例えば、ＩＰテレビは、インターネットＩＰベースのネットワークを利用して放送コンテンツを提供しながら、既存のＩＰベースの多様なサービスを放送と融合させて提供している。特に、放送コンテンツに対する視聴者の好奇心を直ちに満足させることができるコンテンツ関連キーワード検索は、現在も需要が多く存在する。
【０００５】
また、最近、多様な放送番組情報を提供する電子番組ガイド（Electronic Program Guide：ＥＰＧ）サービスが商用化されており、セットトップボックス（Set Top Box：ＳＴＢ）などのようなデジタル放送受信機は、ＥＰＧ情報を受信した後、テレビのような外部連結機器の画面を通じてＥＰＧ情報を出力することによって、ユーザが所望の放送番組情報を容易に検索することができるようにしている。
【０００６】
図１は、従来技術によるコンテンツ関連補充情報を検索するシステムを概略的に示す図である。
【０００７】
第１の先行技術として、韓国特許公開第２００３‐９６３６２号は、ラジオ聴取者またはテレビ視聴者が、実時間に受信される放送番組に関する補充情報を提供される構成を開示している。
【０００８】
図１に示された従来技術による放送番組システムは、放送受信機１０、ユーザ端末機２０、放送局３０、チャンネル情報サーバ４０及びウェブサーバ５０を含む。
【０００９】
放送受信機１０は、放送局３０から送信される放送コンテンツを受信し、例えば、テレビであってもよい。
【００１０】
チャンネル情報サーバ４０は、放送局３０から放送される放送コンテンツ別に補充情報に関するＵＲＬ情報を提供する。視聴者が現在放送されているコンテンツに関する補充情報検索を希望する場合には、ユーザ端末機２０を利用してチャンネル情報サーバ４０に補充情報に関するＵＲＬ情報を要求する。
【００１１】
チャンネル情報サーバ４０は、チャンネルや放送番組の主題別ＵＲＬ情報をユーザ端末機２０に伝送し、ユーザ端末機２０は、前記主題別ＵＲＬ情報を利用してウェブサーバ５０から補充情報を検索することができる。
【００１２】
図２は、一般的なＩＰテレビ放送サービスシステムの概略的な構成図である。
【００１３】
図２を参照すると、一般的なＩＰテレビ放送サービスシステムは、放送社業者６０、ＩＰテレビ放送システム７０及びユーザ端末機８０を含む。
【００１４】
ＩＰテレビ放送システム７０は、放送コンテンツを保存するための保存サーバ、ユーザ端末機８０に放送コンテンツを伝送し、リターンチャンネルから入力されるユーザ要求信号を処理するための制御サーバ、及び放送コンテンツを分配するための分配サーバなどを含んでもよい。
【００１５】
ＩＰテレビ放送システム７０は、コンテンツ提供者（Content Provider：ＣＰ）または放送社業者６０から提供された番組コンテンツを管理し、ＣＤＮ（Content Delivery Network）などを通じて番組コンテンツを加入者の近くにある端末に分配して、放送／録画／再生サービスを提供することができる。この際、コンテンツ提供者または放送社業者６０から提供された番組コンテンツには、関連付加情報が含まれていてもよい。
【００１６】
ユーザ端末機８０は、インターネット放送サービスを利用するための装置であって、一般的に、テレビ８１、セットトップボックス８２及びリモコン８３で構成される。テレビ８１は、ＩＰテレビ放送システム７０から受信した放送コンテンツを出力する。リモコン８３を用いて入力されたユーザ要求信号は、セットトップボックス８２のリターンチャンネルを通じてＩＰテレビ放送システム７０に伝達される。
【００１７】
一方、第２の先行技術として、韓国特許公開第２００２‐００８１７号には、「ＥＰＧベースのデータ放送システム及び方法並びにその番組ソースを保存した記録媒体」という名称の発明が開示されている。
【００１８】
第２の先行技術は、データ放送に関するものであって、データベースに放送番組上映時刻、芸能人の身上情報、商品情報を構築し、それぞれの検索モジュールが検索した結果をデータ放送用カルーセルで構成して出力する。提供されたデータは、データチャンネルから視聴者が選択した、芸能人情報及び商品情報として提供される。
【００１９】
一方、第３の先行技術として、韓国特許公開第２００３‐７０１４５号には、「放送またはレコーディングされた番組をワールドワイドウェブ上の情報を使用して拡張させるシステム及び方法」という名称の発明が開示されている。
【００２０】
第３の先行技術は、特定の番組に関連した複数の主題を選択し、前記複数の主題に対するユーザ装置がアクセス可能な複数のサーバのうち一つのサーバに位置するハイパーリンク（Hyperlink）を設定することによって、番組タイミングファイルを保存する構成を開示している。ここで、前記ハイパーリンクは、選択された主題それぞれに対して、番組内に時間区間を定義し、その時間区間と関連させて保存し、これにより、ネットワークに接続されたユーザ装置が前記ハイパーリンクに関連した目的地アドレスを検索することができることを開示している。
【００２１】
また、第３の先行技術は、レコーディングされた番組の場合でも、世界標準時を利用してレコーディングされた番組を放送したチャンネルサーバから主題に関連した情報を検索可能であることを開示している。
【先行技術文献】
【特許文献】
【００２２】
【特許文献１】韓国特許公開２００３‐００９６３６２号公報
【特許文献２】韓国特許公開２００２‐００００８１７号公報
【特許文献３】韓国特許公開２００３‐００７０１４５号公報
【発明の概要】
【発明が解決しようとする課題】
【００２３】
前述したように、放送端末機で番組に関連した付加情報及び主題の検索を提供する技術が第１乃至第３の先行技術文献に開示されてはいるが、番組視聴とともに限定された画面空間で、現在放送中の番組と同じような時間帯に放映される他のチャンネルの推薦番組リストを順位別に提供するか、または、現在放送中の番組の放送時間に近い順に各チャンネル別の番組リストを整列させて提供する技術については開示されていない。
【００２４】
本発明は、現在放送中の番組と同じような時間帯に放映される他のチャンネルの推薦番組リストを順位別に提供する方法及び装置を提供する。
【００２５】
また、本発明は、現在放送中の番組の放送時間に近い順に各チャンネル別の番組リストを整列させて提供する方法及び装置を提供する。
【００２６】
また、本発明は、ユーザが関心を持つ番組を別途に選択するようにして、以後、選択した番組のみを別に管理することができる方法及び装置を提供する。
【００２７】
本発明の目的は、以上に記述した目的に限定されず、記述しない他の目的は、下記の記載から明確に理解することができる。
【課題を解決するための手段】
【００２８】
上記目的を達成するために、本発明の一態様に係る双方向放送端末に番組放送中に他のチャンネルの番組検索サービスを提供する方法は、（ａ）ユーザ入力手段のキー入力に応答して、双方向放送端末の画面に検索サービスを提供するための検索領域を提供し、（ｂ）検索領域に、前記放送中の番組に関連したキーワードが自動入力された検索ウィンドウを提供し、（ｃ）検索領域に、前記放送中の番組と同じような時間帯に放映される他のチャンネルの推薦番組リストを順位別に提供し、（ｄ）検索領域に、前記放送中の番組の放送時間に近い順に各チャンネル別の番組リストを整列して提供すること、を含む。
【００２９】
また、本発明の他の態様に係る双方向放送端末に番組放送中に他のチャンネルの番組検索サービスを提供する装置は、放送編成情報に基づいて前記放送中の番組の放送時間を把握し、把握した放送時間と同じような時間帯に放映される各チャンネルの番組情報を抽出する番組情報抽出部と、前記放送中の番組の放送時間と同じような時間に放映される他のチャンネルの番組のうち予想視聴率に基づく順に整列された推薦番組リストを提供する番組リスト提供部と、双方向放送端末から他のチャンネルの番組検索サービス要求が受信されると、前記放送中の番組の放送時間と同じような時間に放映される各チャンネルの番組情報及び推薦番組リストを提供する検索領域を双方向放送端末に提供する検索領域提供部と、を含む。
【００３０】
上記目的を達成するための具体的な事項は、図面と共に詳細に後述する実施形態を参照すれば明確になる。
【００３１】
しかし、本発明は、以下に開示される実施形態に限定されるものではなく、異なる様々な形態で構成され得る。本実施形態は、本発明の開示を完全にし、本発明の属する技術分野における通常の知識を有する者に発明の範疇を完全に知らせるために提供されるものである。
【発明の効果】
【００３２】
前述した本発明の番組放送中に他のチャンネルの番組検索サービスを提供する方法及び装置の一つによれば、番組の視聴とともに限定された画面空間で、現在放送中の複数の番組間の順位及び現在放送中の番組以後の番組を各チャンネル別に容易に検索し、所望の番組を選択して視聴することができる。
【図面の簡単な説明】
【００３３】
【図１】従来技術によるコンテンツ関連補充情報を検索するシステムを概略的に示す図である。
【図２】一般的なＩＰテレビ放送サービスシステムの概略的な構成図である。
【図３】本発明の一実施形態による番組放送中に他のチャンネルの番組検索サービスを提供するシステムの概要を示す図である。
【図４】本発明の一実施形態による番組放送中に他のチャンネルの番組検索サービスを提供する装置の構成を示すブロック図である。
【図５】本発明の一実施形態によって番組別の推薦キーワード及び推薦キーワードの変形語（類似語）を生成する推薦検索語抽出部のブロック図である。
【図６】本発明の実施形態による番組放送中に他のチャンネルの番組検索サービスを提供する装置を通じてテレビ画面に表示された検索領域を示す図である。
【図７】本発明の実施形態による番組放送中に他のチャンネルの番組検索サービスを提供する装置を通じてテレビ画面に表示された検索領域を示す図である。
【図８】本発明の実施形態による番組放送中に他のチャンネルの番組検索サービスを提供する装置を通じてテレビ画面に表示された検索領域を示す図である。
【図９】本発明の実施形態による番組放送中に他のチャンネルの番組検索サービスを提供する装置を通じてテレビ画面に表示された検索領域を示す図である。
【図１０】本発明の実施形態による番組放送中に他のチャンネルの番組検索サービスを提供する装置を通じてテレビ画面に表示された検索領域を示す図である。
【図１１】本発明の実施形態による番組放送中に他のチャンネルの番組検索サービスを提供する装置を通じてテレビ画面に表示された検索領域を示す図である。
【図１２】本発明の一実施形態による番組放送中に他のチャンネルの番組検索サービスを提供する過程を示すフローチャートである。
【発明を実施するための形態】
【００３４】
以下、図面を参照して本発明の属する技術分野における通常の知識を有する者が容易に実施することができるように本発明の実施形態を詳しく説明する。しかし、本発明は、様々な異なる形態で実施されることができ、下記に説明する実施形態に限定されるものではない。
【００３５】
なお、図面において、本発明を明確に説明するために、説明と関係がない部分を省略し、明細書全般において同様の部分に同様の参照符号を付けた。明細書全般に亘って、或る部分が他の部分と「連結」または「接続」されているとするとき、これは、「直接的に連結」または「直接的に接続」されている場合だけでなく、その中間に他の素子を介して「電気的に連結」または「電気的に接続」されている場合をも含む。また、或る部分が任意の構成要素を「含む」とするとき、これは、特に反対の記載がない限り、他の構成要素を除外するものではなく、他の構成要素をさらに含むことができることを意味する。
【００３６】
以下、構成図またはフローチャートを参照して、本発明の実施のための具体的な内容を説明する。参照として、本発明の実施形態では、双方向放送端末としてＩＰテレビ（以下、テレビという）を使用するが、本発明が必ずこれに限定されるものではなく、放送システムに使用される双方向通信が可能な端末なら、本発明の双方向放送端末の範疇に含まれるものと理解すべきである。
【００３７】
図３は、本発明の一実施形態による番組放送中に他のチャンネルの番組検索サービスを提供するシステムの概要を示す図である。
【００３８】
本発明の一実施形態による番組放送中に他のチャンネルの番組検索サービスを提供するシステムは、放送事業者サーバ３１０、ＩＰテレビ放送システム３２０、ユーザ端末機３３０、及び検索サービス提供部３４０を含む。
【００３９】
図３に示されたシステムの構成要素をさらに詳しく説明すれば、まず、放送事業者サーバ３１０は、多様な放送コンテンツを提供する。ＩＰテレビ放送システム３２０は、放送コンテンツを保存するための保存サーバ、リターンチャンネルから入力されるユーザ要求信号（番組推薦要求信号、付加情報要求信号など）を処理するためのリターンパスサーバ、及び放送コンテンツを分配するための分配サーバなどを含んでもよい。
【００４０】
ここで、放送コンテンツは、番組編成計画に基づいて地上波放送で提供される放送番組やケーブル放送で提供される放送番組、そして通信社で提供されるＶＯＤサービスを含み、以下では、「番組」という。
【００４１】
一方、ユーザ端末機３３０は、インターネット放送サービスを利用するための装置であって、一般的に、テレビ３３１、セットトップボックス３３２、及びユーザ入力手段としてのリモコン３３３を含む。ユーザ端末機３３０は、ＩＰテレビ放送システム３２０から受信した放送コンテンツを再生し、リモコン３３３を用いて入力されたユーザ要求信号をセットトップボックス３３２のリターンチャンネルを通じてＩＰテレビ放送システム３２０に伝達する。
【００４２】
ユーザ端末機３３０には、セットトップボックスが内蔵されたテレビ、またはユーザのテレビに接続されたセットトップボックス、デスクトップパソコン、ノートパソコン、または個人携帯用端末機のうちいずれか一つの端末を使用することができる。
【００４３】
セットトップボックスは、ＣＰＵ、メディアプロセッサ、フラッシュＲＡＭ、イーサネット（登録商標）モジュールなどのＳＴＢハードウェアで構成されたハードウェア階層と、デバイスドライバーと運営体制などのシステムソフトウェアを含むシステムソフトウェア階層と、ジャバ仮想マシン（Java（登録商標） Virtual Machine：ＪＶＭ）、受信制限システム（Conditional Access System：ＣＡＳ）モジュール及びデジタル著作権管理（Digital Rights Management：ＤＲＭ）インターフェースモジュール、ストリーミングプロトコルＲＴＰ、ＲＴＳＰを搭載したミドルウェア階層と、ＭＰＥＧ２、ＭＰＥＧ４、ＭＰＥＧ７、Ｈ．２６４、ＷＭＶ‐９などの多様なマルチコーデック（Ｍｕｌｔｉ  ＣＯＤＥＣ）をサポートし、ＩＰテレビサービスチャンネルを選択するための電子番組ガイド（Electronic Program Guide：ＥＰＧ）を含むアプリケーション階層とからなる４階層を含む。この際、加入者のＩＰセットトップボックスには、ＩＰｖ４アドレスまたはＩＰｖ６アドレスが割り当てられてもよい。
【００４４】
一方、検索サービス提供部３４０は、検索エンジンを具備したインターネットポータルサイトを提供する。多数のユーザがインターネットポータルサイトに接続して番組関連検索語を検索する場合、検索サービス提供部３４０は、多数のユーザが検索した検索語ログデータを検索ログＤＢに保存し、これを基にして番組に対する検索語プールを収集した後、検索語プールのうちユーザが現在視聴中の番組と関連してユーザが入力するものと予測される推薦検索語キーワード及び推薦検索語の変形語（類似語）を生成して提供する。ここで、推薦検索語は、現在放送中の番組の代表キーワードと、現在放送中の番組に連関した検索語とを含む。
【００４５】
また、検索サービス提供部３４０は、実時間急上昇検索語及び実時間急上昇検索語の変形語（類似語）を提供することができる。実時間急上昇検索語は、番組に関連したものであってもよく、番組に関連しないイシュー（issue）であってもよいが、一般的に、番組放送の前後の当該番組に関連した検索語の検索頻度が急上昇する場合が多い。
【００４６】
参照として、実時間急上昇検索語は、検索サービス提供部３４０に含まれた検索エンジンによって提供されてもよく、検索サービス提供部３４０に連動する別途の検索サーバ３５０で提供されてもよい。
【００４７】
また、検索サービス提供部３４０は、ユーザ入力手段としてのリモコン３３３のキーのうちいずれか一つの入力に応答して、ユーザ端末機３３０に番組放送中に他のチャンネルの番組検索サービスのための検索領域を提供する。ここで、検索領域は、現在放送中の番組の代表キーワードが検索語として自動入力された検索ウィンドウと、現在放送中の番組の放送時間と同じような時間に放映される他のチャンネルの番組のうち、予想視聴率に基づく順に整列された推薦番組リストが提供される実時間推薦番組リストタブ（Ｔａｂ）と、現在放送中の番組の放送時間に近い順に各チャンネル別の番組リストを整列させて提供するチャンネル別の番組案内タブとを含む。
【００４８】
したがって、ユーザが特定番組の視聴中に、リモコン３３３のような入力手段の所定キーを入力すれば、検索サービス提供部３４０は、ユーザが現在視聴中の番組及び当該番組の放送時間を把握し、当該番組に関連した代表キーワード、現在放送中の番組と同じような時間帯に放映される他のチャンネルの順位別推薦番組リスト及び現在放送中の番組の放送時間に近い順に各チャンネル別の番組リストを提供することによって、ユーザは、リモコン３３３のような入力手段が制限される環境においても、現在放送中の番組に関連したインターネット検索と、現在放送中の複数の番組間の順位及び現在放送中の番組以後の番組を各チャンネル別に容易に検索することができる。
【００４９】
参照として、検索領域は、前述した検索ウィンドウ、すなわち、現在放送中の番組の代表キーワードが検索語として自動入力された検索ウィンドウ（以下、第１検索ウィンドウという）に隣接し、現在放送中の番組に関連した検索語が完成された形態で自動入力された第２検索ウィンドウ、及び第１検索ウィンドウと第２検索ウィンドウとの一つ以上に隣接し、実時間急上昇検索語が自動入力された第３検索ウィンドウを含んでもよい。
【００５０】
ここで、第２検索ウィンドウに完成された形態で自動入力された検索語及び第３検索ウィンドウに自動入力された実時間急上昇検索語は、ローリング方式に変更されてもよい。また、ユーザのリモコン３３３の選択によって第２検索ウィンドウ及び第３検索ウィンドウが選択される場合、第２検索ウィンドウ及び第３検索ウィンドウには、表示された検索語の変形語（類似語）が含まれた拡張ポップアップが提供されてもよい。
【００５１】
また、検索領域は、テレビ３３１の画面に表示されるとき、透明度や位置を調節することによって、表示された検索領域が視聴する番組を遮るという問題を解消することもできる。
【００５２】
以下、図４により本発明の一実施形態による番組放送中に他のチャンネルの番組検索サービスを提供する装置の構成を詳細に説明する。
【００５３】
図４は、本発明の一実施形態による番組放送中に他のチャンネルの番組検索サービスを提供する装置の構成を示すブロック図である。
【００５４】
本発明の一実施形態による番組放送中に他のチャンネルの番組検索サービスを提供する装置は、検索ログＤＢ３４１、検索エンジン３４２、推薦検索語抽出部３４３、番組情報抽出部３４４、番組リスト提供部３４５、検索領域提供部３４６、検索結果提供部３４７及び番組切替部３４８を含む。
【００５５】
参照として、本発明の実施形態による図４に示された構成要素は、ソフトウェアまたはＦＰＧＡ（Field Programmable Gate Array）またはＡＳＩＣ（Application Specific Integrated Circuit）のようなハードウェア構成要素を意味し、所定の役目を行う。
【００５６】
しかし、「構成要素」は、ソフトウェアまたはハードウェアに限定される意味ではなく、各構成要素は、アドレスすることができる保存媒体に配置されるように構成されてもよく、一つまたはそれ以上のプロセッサを再生させるように構成されてもよい。
【００５７】
したがって、一例として、構成要素は、ソフトウェア構成要素、オブジェクト指向ソフトウェア構成要素、クラス構成要素及びタスク構成要素のような構成要素、プロセス、関数、属性、プロシージャ、サブルーチン、番組コードのセグメント、ドライバ、ファームウエア、マイクロコード、回路、データ、データベース、データ構造、テーブル、アレイ及び変数を含む。
【００５８】
構成要素及び当該構成要素内で提供される機能は、さらに小さい数の構成要素にまとまるか、または追加的な構成要素にさらに分離されてもよい。
【００５９】
まず、検索ログＤＢ３４１は、検索エンジン３４２から受信された検索ログデータ及び特定の検索語に対応する関連検索語（例えば、特定の番組を検索したユーザが検索した他の検索語、特定の番組名と重畳するか、または連続する検索語など）を保存する。
【００６０】
参照として、検索ログＤＢ３４１は、特定の検索語に対応する関連検索語だけでなく、放送事業者などによって直接入力されたデータ、事前に収集された番組情報、当該番組と同時に伝送されるキャプション／字幕情報などを総合して検索語プールを構成することができる。
【００６１】
一方、推薦検索語抽出部３４３は、検索ログＤＢ３４１に基づいて、番組別の推薦キーワード及び推薦キーワードの変形語（類似語）を生成する。以下、図５を参照して推薦検索語抽出部３４３の構成を詳細に説明する。
【００６２】
図５は、本発明の一実施形態による番組別の推薦キーワード及び推薦キーワードの変形語（類似語）を生成する推薦検索語抽出部３４３のブロック図である。
【００６３】
図５を参照すると、本発明の一実施形態による推薦検索語抽出部３４３は、視聴予想者抽出部３４３ａ、推薦キーワード判断部３４３ｂ、番組‐キーワード時間同期化部３４３ｃ、シードキーワードＤＢ３４３ｄ、視聴予想者ＤＢ３４３ｅ及び番組別の推薦キーワードＤＢ３４３ｆを含む。
【００６４】
推薦検索語抽出部３４３は、通常の検索サーバ３５０または検索エンジン３４２と相互連動して動作を行うことができる。本発明の一実施形態による推薦検索語抽出部３４３は、検索サーバ３５０または検索エンジン３４２に伝送された検索クエリのログを保存した検索ログＤＢ３４１の情報を活用することができる。
【００６５】
番組がユーザ端末機３３０を通じて再生される場合、統計的に放映時間の前後にわたって放送番組に関するキーワード検索がユーザ端末機３３０によって集中的に発生するが、このような検索クエリについて、検索ログＤＢ３４１は、検索語、検索時刻及びユーザ識別番号を保存する。
【００６６】
以下、推薦検索語抽出部３４３の動作について詳しく説明する。推薦検索語抽出部３４３の視聴予想者抽出部３４３ａは、検索エンジン３４２及びシードキーワードＤＢ３４３ｄに連動して動作する。検索エンジン３４２は、ウェブ検索を提供する外部の検索サーバ３５０に代替されてもよい。
【００６７】
シードキーワードＤＢ３４３ｄには、特定の番組に関連した基本的なキーワード、すなわち、シードキーワードが放送時間帯とマッチングされて保存されている。例えば、シードキーワードは、前述した番組の名称またはその変形語であってもよい。
【００６８】
一方、シードキーワードは、カテゴリ別に分けられて、異なる加重値を付与して保存されてもよい。例えば、ドラマカテゴリにおいて、第１カテゴリは、題目、配役の名前を含み、第２カテゴリは、俳優の名前、製作陣を含んでもよい。ここで、検索確率が第２カテゴリよりも高い第１カテゴリは、第２カテゴリより高い加重値を有する。
【００６９】
視聴予想者抽出部３４３ａは、番組放送時間の前後にわたる所定の時間内に検索サーバ３５０または検索エンジン３４２が受信した検索語にシードキーワードＤＢ３４３ｄに保存されたシードキーワードがあるか否かを調べ、前記シードキーワードを検索したユーザの識別番号を抽出する。
【００７０】
参照として、抽出されたユーザ識別番号に該当する視聴者は、視聴予想者として分類されてもよい。ここで、視聴予想者の分類のために、しきい値回数以上のシードキーワードを検索したユーザのみを視聴予想者として分類してもよい。
【００７１】
また、検索ウィンドウに自動完成機能が提供される場合には、自動完成機能による検索語を含ませて、検索サーバ３５０または検索エンジン３４２で提供されるキーワード（例えば、人気の検索語、推薦検索語、実時間急上昇検索語）を選択して検索したユーザは、視聴予想者から除外してもよい。
【００７２】
前述したように、視聴予想者が抽出されると、視聴予想者のユーザ識別番号は、視聴予想者ＤＢ３４３ｅに保存される。視聴予想者ＤＢ３４３ｅには、ユーザ識別番号が特定の放送番組または特定の放送番組のシリーズやグループとマッチングされて保存される。
【００７３】
一方、推薦キーワード判断部３４３ｂは、視聴予想者ＤＢ３４３ｅを参照して当該番組の放送時間帯に視聴予想者が検索した検索語を収集する。また、推薦キーワード判断部３４３ｂは、収集された検索語が所定の条件を満たす場合に当該番組のキーワードであるとして判断し、当該検索語をキーワードセットに含ませる。前記所定の条件は、視聴予想者の検索語のうち当該番組との相関度がしきい値以上であることを条件にしてもよい。
【００７４】
推薦キーワード判断部３４３ｂは、前述した条件を満たすキーワードを当該番組に対する推薦キーワードであるとして判断し、当該番組に対するキーワードセットを生成する。
【００７５】
一方、番組−キーワード時間同期化部３４３ｃは、前記キーワードセットに含まれたキーワードを番組の再生時間帯別にマッチングさせる機能を行う。例えば、６０秒間隔でそれぞれの時間帯別キーワードの検索回数を基にして、各時間帯別の割合が大きいキーワードを選定する。
【００７６】
この際、あらかじめ定められた不適切なキーワードをフィルタリングすることもできる。例えば、生放送、再放送、表示、編成、放映時間などキーワードとして不適合なキーワードを除去してもよい。参照として、検索ログＤＢ３４１には、推薦キーワードに選定されたキーワードに対する検索時刻情報が一緒に保存されているので、番組の放送時間帯別にキーワードセットに含まれたキーワードをマッチングさせて同期化させることができる。
【００７７】
最終的に、番組別にマッチングされたキーワードは、番組別の推薦キーワードＤＢ３４３ｆに保存される。したがって、同一の番組の後続コンテンツが放映されるとき、当該番組の推薦キーワードが実時間に提供されることができる。前述したような、推薦検索語抽出部３４３の構成及び動作は、例示のためのものに過ぎず、そのほかの多様なアルゴリズムによって、番組別の推薦キーワードを生成することができる。
【００７８】
一方、番組情報抽出部３４４は、放送編成情報に基づいて現在放送中の番組の放送時間を把握し、把握した放送時間と同じような時間帯に放映される各チャンネルの番組情報を抽出する。
【００７９】
ここで、「現在放送中の番組の放送時間と同じような時間」は、現在放送中の番組の放送開始時間を基準にして、「番組の放送開始時間が現在放送中の番組の開始時間以後」であるか、または「番組の放送終了時間が現在放送中の番組の開始時間以後」である時間であってもよい。
【００８０】
また、各チャンネルの番組情報は、前述したような「現在放送中の番組の放送時間と同じような時間」に編成された番組のチャンネル番号、チャンネル名、代表イメージなどを含んでもよく、そのほか、番組の出演陣及び番組の筋書き（放送内容プレビュー）などをさらに含んでもよい。
【００８１】
一方、番組リスト提供部３４５は、番組情報抽出部３４４で抽出された現在放送中の番組の放送時間と同じような時間帯に放映される各チャンネルの番組情報に基づいて、現在放送中の番組の放送時間と同じような時間に放映される他のチャンネルの番組のうち予想視聴率に基づく順に整列された推薦番組リストを提供する。
【００８２】
また、番組リスト提供部３４５は、番組情報抽出部３４４で抽出された現在放送中の番組の放送時間と同じような時間帯に放映される各チャンネルの番組情報に基づいて、現在放送中の番組の放送時間に近い順に各チャンネル別の番組リストを整列させて提供する。
【００８３】
一方、検索領域提供部３４６は、ユーザ入力手段であるリモコン３３３のキーのうちいずれか一つの入力に応答して、ユーザ端末機３３０に、番組放送中に他のチャンネルの番組検索サービスのための検索領域を提供する。
【００８４】
ここで、検索領域は、現在放送中の番組の代表キーワードが検索語として自動入力された検索ウィンドウと、現在放送中の番組の放送時間と同じような時間に放映される他のチャンネルの番組のうち予想視聴率に基づく順に整列された推薦番組リストが提供される実時間推薦番組リストタブと、現在放送中の番組の放送時間に近い順に各チャンネル別の番組リストを整列させて提供するチャンネル別の番組案内タブとを含む。
【００８５】
また、検索領域は、実時間推薦番組リストタブ及びチャンネル別の番組案内タブで提供された番組のうち、ユーザがあらかじめ選択した（お気に入り）番組のうちの現在放映されている番組のリストを提供する“放映中のお気に入りの番組タブ”をさらに含んでもよい。
【００８６】
参照として、検索領域は、前述した検索ウィンドウ、すなわち、現在放送中の番組の代表キーワードが検索語として自動入力された第１検索ウィンドウと、第１検索ウィンドウに隣接し、現在放送中の番組に関連した検索語が完成された形態で自動入力された第２検索ウィンドウと、第１検索ウィンドウ及び第２検索ウィンドウの一つ以上に隣接し、実時間急上昇検索語が自動入力された第３検索ウィンドウとを含んでもよい。
【００８７】
ここで、実時間急上昇検索語が自動入力された第３検索ウィンドウが検索領域に含まれる場合、実時間検索語抽出部（図示せず）が図４に示された番組放送中に他のチャンネルの番組検索サービスを提供する装置にさらに含まれてもよい。
【００８８】
実時間検索語抽出部（図示せず）について説明すれば、実時間検索語抽出部は、実時間上昇検索語及び番組に関連した実時間急上昇検索語を抽出し、実時間急上昇検索語の変形語（類似語）を生成する。
【００８９】
この際、実時間急上昇検索語は、現在インターネットポータルサイトなどで提供される人気の検索語と同一または類似の多数のアルゴリズムを使用して抽出されることができる。番組に関連した急上昇検索語は、検索サーバ３５０または検索エンジン３４２で処理された検索語のうち、番組に関連した検索語を放送事業者サーバ３１０から提供された番組編成表データ、番組関連情報などに基づいて分類した後、検索回数に基づいて番組に関連した人気の検索語を抽出することができる。
【００９０】
実時間急上昇検索語は、放送中の番組と独立して生成されることができるが、現在放送中の番組を視聴する視聴者の検索行為によって生成されため、前述した番組関連推薦キーワードが備えていない実時間検索動向を補うことができる。
【００９１】
本発明の実施形態においては、実時間検索語抽出部（図示せず）で実時間急上昇検索語を提供する場合を説明したが、検索サービス提供部３４０に連動する別途の検索サーバ３５０を通じて実時間急上昇検索語を提供してもよい。
【００９２】
検索領域についてのさらなる詳細な説明は、図６乃至図１１を参照して後述する。
【００９３】
検索結果提供部３４７は、前述した実時間推薦番組リストタブまたはチャンネル別の番組案内タブに提供された番組リストのうちいずれか一つの番組が選択された場合、選択された当該番組に関連した検索結果を検索領域に表示する。
【００９４】
番組切替部３４８は、実時間推薦番組リストタブ、チャンネル別の番組案内タブまたは放映中のお気に入りの番組タブに提供された番組リストのうちいずれか一つの番組が選択された場合、現在放送中の番組を選択された当該番組に変更してテレビの画面に表示されるようにする。
【００９５】
以下、図６乃至図１１を参照して本発明の実施形態による検索領域を説明するが、現在視聴中の番組は、「ＳＢＳ放送局」で放送する「ハッピーサンデー１泊２日」と仮定する。
【００９６】
図６は、本発明の一実施形態による番組放送中に他のチャンネルの番組検索サービスを提供する装置を通じてテレビ画面に表示された検索領域を示す図である。本発明の一実施形態による番組放送中に他のチャンネルの番組検索サービスを提供する検索領域６００は、現在視聴中の番組（ＳＢＳハッピーサンデー１泊２日）の代表キーワード（ハッピーサンデー）が入力された第１検索ウィンドウ６１０と、現在放送中の番組に関連した検索語（１泊２日LEE SEUNG GI）が完成された形態で自動入力された第２検索ウィンドウ６２０と、実時間急上昇検索語（米国大統領）が自動入力された第３検索ウィンドウ６３０とを含む。
【００９７】
また、検索領域６００は、現在放送中の番組の放送時間と同じような時間に放映される他のチャンネルの番組のうち、予想視聴率に基づく順に整列された推薦番組リストが提供される実時間推薦番組リストタブ６４０と、現在放送中の番組の放送時間に近い順に各チャンネル別の番組リストを整列させて提供するチャンネル別の番組案内タップ６５０と、実時間推薦番組リストタブ６４０及びチャンネル別の番組案内タブ６５０で提供された番組リストのうち、ユーザがあらかじめ選択した（「お気に入り」）番組のうちの現在放映されている番組のリストを提供する放映中のお気に入りの番組タップ６６０とを含む。
【００９８】
前述したように、検索領域６００に含まれた実時間推薦番組リストタブ６４０、チャンネル別の番組案内タブ６５０及び放映中のお気に入りの番組タブ６６０は、ユーザによってリモコン３３３を用いていずれか一つのタブが選択されれば、選択されたタブは、選択しない他のタブより拡張されるか、または当該タブの名前が表示されるようにして、選択されたタブと選択されないタブの区分を明確に表示することができる。
【００９９】
図６に示された図面は、実時間推薦番組リストタブ６４０が選択された場合であり、当該タブ６４０には、現在放送中の「ＳＢＳハッピーサンデー１泊２日」番組の放送時間と同様の時間に放映される他のチャンネルの番組のうち予想視聴率に基づく順に整列された推薦番組リストが表示されており、推薦番組リストには、当該番組のチャンネル番号、チャンネル名及び代表イメージが含まれている。
【０１００】
この際、検索領域６００は、図６に示すように、テレビ画面の全体を占めており、現在放送中の番組にオーバーレイされて、テレビ画面の下段にバー形状で位置してもよい。検索領域６００が現在放送中の番組を遮るという問題を解消するために、検索領域の透明度が調節されてもよい。
【０１０１】
このために、検索領域６００をユーザ端末機３３０で出力可能な画面形式で処理する画面処理部（図示せず）が検索サービス提供部３４０に追加的に含まれてもよい。また、これとは異なって、画面処理部（図示せず）がユーザ端末機３３０内に存在するように構成されてもよい。
【０１０２】
参照として、図６においては、検索領域６００がテレビ画面の下段にバー形状で位置する場合を説明したが、本発明の実施形態による検索領域は、前述した画面処理部（図示せず）を通じてテレビ画面の下段でない、左右のいずれの部分に位置するように設定されてもよい。
【０１０３】
図７は、本発明の他の実施形態による番組放送中に他のチャンネルの番組検索サービスを提供する装置を通じてテレビ画面に表示された検索領域を示す図である。
【０１０４】
図７に示された図面は、図６に示された実時間推薦番組リストタブ６４０に含まれた番組リストのうちいずれか一つを選択した場合を示す。
【０１０５】
リモコン３３３を用いてユーザによっていずれか一つの番組が選択されると、当該番組の推薦順位と当該番組名及び当該番組の放送回数とが表示された所定のサイズの情報ウィンドウ６４１が、選択された番組の代表イメージにオーバーレイされる。
【０１０６】
図８は、本発明のさらに他の実施形態による番組放送中に他のチャンネルの番組検索サービスを提供する装置を通じてテレビ画面に表示された検索領域を示す図である。
【０１０７】
図８に示された図面は、図７に示された実時間推薦番組リストタブ６４０に含まれた番組リストのうちユーザが選択した番組をさらに選択する場合を示すものである。
【０１０８】
リモコン３３３を用いてユーザによって当該番組がさらに選択されると、図８に示されたように、当該番組を視聴するための視聴ボタン８１０と、当該番組に対する詳細な情報を見るための詳細情報ボタン８２０と、当該番組をあらかじめ選択（お気に入り）して、以後、放映中のお気に入りの番組タブ６６０を通じて関心番組リストとして提供されるためのお気に入りのボタン８３０とを含む画面８００が図７に示された画面にオーバーレイされる。
【０１０９】
この際、オーバーレイされる画面８００は、図７に示された画面を遮るという問題を解消するために、図示のように、透明度が調節されてもよい。
【０１１０】
図９は、本発明のさらに他の実施形態による番組放送中に他のチャンネルの番組検索サービスを提供する装置を通じてテレビ画面に表示された検索領域を示す図である。
【０１１１】
図９に示された図面は、チャンネル別の番組案内タブ６５０が選択された場合であり、当該タブ６５０には、現在放送中の「ＳＢＳハッピーサンデー１泊２日」番組の放送時間と同じような時間に放映される他のチャンネルの番組のうち、現在放送中の「ＳＢＳハッピーサンデー１泊２日」番組の放送時間に近い順に各チャンネル別の番組リストが表示されており、各チャンネル別の番組リストには、当該番組のチャンネル番号、チャンネル名、代表イメージ、放送回数及び放送時間情報が含まれている。
【０１１２】
また、チャンネル別の番組案内タブ６５０は、各チャンネルへの移動のために、各チャンネルを表示したチャンネル領域６５１を含むが、チャンネル領域６５１に表示された各チャンネルは、図９に示されたようにチャンネル番号及びチャンネル名で表示されてもよく、そのほか、チャンネル番号やチャンネルアイコンのように、各チャンネルを表示することができる他の手段でも表現可能である。
【０１１３】
チャンネル領域６５１の多数のチャンネルのうち、リモコン３３３を用いてユーザによっていずれか一つのチャンネル６５２が選択されると、当該チャンネル６５２の番組のうち現在放送中の「ＳＢＳハッピーサンデー１泊２日」番組の放送時間に近い時間に放映される順に番組のリストが提供され、ユーザは、リモコン３３３を用いて提供された番組リストのうち視聴を希望する番組を選択することができる。
【０１１４】
視聴を希望する番組を選択した以後の画面は、図７及び図８に示された図面と同一なので、これに関する説明は省略する。
【０１１５】
参照として、チャンネル別の番組案内タブ６５０に含まれた番組であって、各チャンネル別の番組リストのうち現在放送されている番組には、これを示すＯｎ‐Ａｉｒアイコン６５３が表示されてもよく、現在放送されている番組のすぐ後に放送される番組には、Ｎｅｘｔｘ１アイコン６５４が表示されてもよい。
【０１１６】
図１０は、本発明のさらに他の実施形態による番組放送中に他のチャンネルの番組検索サービスを提供する装置を通じてテレビ画面に表示された検索領域を示す図である。
【０１１７】
図１０に示された図面は、放映中のお気に入りの番組タブ６６０が選択された場合であり、当該タブ６６０には、実時間推薦番組リストタブ６４０及びチャンネル別の番組案内タブ６５０で提供された番組リストのうち、ユーザがあらかじめ選択した（「お気に入り」）番組のうち現在放映されている番組のリストが表示されており、ユーザの「お気に入り」の番組リストには、当該番組のチャンネル番号、チャンネル名、及び代表イメージが含まれている。ユーザは、放映中のお気に入りの番組タブ６６０を通じて関心ある番組のみを別途に管理することができる。
【０１１８】
図１１は、本発明のさらに他の実施形態による番組放送中に他のチャンネルの番組検索サービスを提供する装置を通じてテレビ画面に表示された検索領域を示す図である。
【０１１９】
図１１に示された図面は、図１０に示された放映中のお気に入りの番組タブ６６０に含まれた番組リストのうちユーザが選択した番組をさらに選択する場合を示すものである。
【０１２０】
リモコン３３３を用いてユーザによって当該番組がさらに選択されると、図１１に示されたように、当該番組を視聴するための視聴ボタン１１１０と、当該番組に対する詳細な情報を見るための詳細情報ボタン１１２０と、当該番組に対する選択を設定（例えば、お気に入り解除）するためのお気に入り設定ボタン１１３０とを含む画面１１００が図１０に示された画面にオーバーレイされる。
【０１２１】
この際、オーバーレイされる画面１１００は、図１０に示された画面を遮るという問題を解消するために、図示のように、透明度を調節するようにしてもよい。
【０１２２】
したがって、本発明の一実施形態による番組放送中に他のチャンネルの番組検索サービスを提供する装置を通じて、ユーザは、テレビを見ながら知りたいこと、すなわち、現在視聴中の番組と関連がある検索または実時間急上昇検索語などをパソコンまたはその他の媒体を利用せずに、すぐにテレビでインターネットを通じて検索して解決することができ、現在放送中の複数の番組間の順位及び現在放送中の番組以後の番組を各チャンネル別に容易に検索し、所望の番組を選択して視聴することができる。
【０１２３】
図１２は、本発明の一実施形態による番組放送中に他のチャンネルの番組検索サービスを提供する過程を示すフローチャートである。
【０１２４】
説明の便宜上、図３に示されたシステム及び図４に示された番組放送中に他のチャンネルの番組検索サービスを提供する装置の構成を参照して説明するが、ユーザ端末機３３０は、放送事業者サーバ３１０及びＩＰテレビ放送システム３２０を通じて番組を受信して放送すると仮定する。
【０１２５】
まず、検索領域提供部３４６は、ユーザ入力手段のキー入力に応答して、番組放送中に他のチャンネルの番組検索サービスを提供するための検索領域をユーザ端末機３３０に提供する（Ｓ１２０１）。
【０１２６】
Ｓ１２０１の後に、検索領域提供部３４６は、検索領域の第１検索ウィンドウに、推薦検索語抽出部３４３で抽出した現在放送中の番組の代表キーワードを提供する（Ｓ１２０２）。
【０１２７】
参照として、検索領域提供部３４６は、検索領域の第１検索ウィンドウに隣接する第２検索ウィンドウに、推薦検索語抽出部３４３で抽出した現在放送中の番組に関連した完成された形態の検索語を提供してもよい。
【０１２８】
この際、第２検索ウィンドウに自動入力された検索語は、別途の検索サーバ３５０または検索エンジン３４２によって収集された検索ログのうち、現在放送中の番組と関連して収集されたキーワードの中から選別されたものであり、第２検索ウィンドウに自動入力された検索語は、ローリング方式に変更されて表示されてもよい。
【０１２９】
また、検索領域提供部３４６は、検索領域の第１検索ウィンドウ及び第２検索ウィンドウの一つ以上と隣接する第３検索ウィンドウに、実時間検索語抽出部（図示せず）で抽出した実時間急上昇検索語を提供してもよく、第２検索ウィンドウ及び第３検索ウィンドウがユーザによって選択される場合、選択された検索語の変形語が含まれた拡張ポップアップが提供されてもよい。検索領域は、透明度の調節及び画面上に位置の調節が可能である。
【０１３０】
また、検索領域提供部３４６は、第１検索ウィンドウ、第２検索ウィンドウ及び第３検索ウィンドウのうちいずれか一つに自動入力された検索語が選択された場合、選択された検索語を検索エンジンに伝送した後、検索エンジンから検索結果を受信して検索領域に表示することができ、検索結果は、ウェブ検索サービスを提供する検索サーバの検索結果をテレビに適合するように加工して提供されてもよい。
【０１３１】
Ｓ１２０２の後に、番組情報抽出部３４４は、放送編成情報に基づいて現在放送中の番組の放送時間を把握し、把握した放送時間と同じような時間帯に放映される各チャンネルの番組情報を抽出する（Ｓ１２０３）。
【０１３２】
ここで、「現在放送中の番組の放送時間と同じような時間」は、現在放送中の番組の放送開始時間を基準にして、「番組の放送開始時間が現在放送中の番組の開始時間以後」であるか、または「番組の放送終了時間が現在放送中の番組の開始時間以後」である時間であってもよい。また、各チャンネルの番組情報は、前述したような「現在放送中の番組の放送時間と同じような時間」に編成された番組のチャンネル番号、チャンネル名、及び代表イメージなどを含んでもよく、そのほか、番組の出演陣及び番組の筋書き（放送内容プレビュー）などをさらに含んでもよい。
【０１３３】
Ｓ１２０３の後に、番組リスト提供部３４５は、番組情報抽出部３４４で抽出された現在放送中の番組の放送時間と同じような時間帯に放映される各チャンネルの番組情報に基づいて、現在放送中の番組の放送時間と同じような時間に放映される他のチャンネルの番組のうち、予想視聴率に基づく順に整列された推薦番組リストを提供する（Ｓ１２０４）。
【０１３４】
Ｓ１２０４の後に、番組リスト提供部３４５は、番組情報抽出部３４４で抽出された現在放送中の番組の放送時間と同じような時間帯に放映される各チャンネルの番組情報に基づいて、現在放送中の番組の放送時間に近い順に整列された各チャンネル別の番組リストを提供する（Ｓ１２０５）。
【０１３５】
参照として、Ｓ１２０４で提供された現在放送中の番組の放送時間と同じような時間に放映される他のチャンネルの番組のうち、予想視聴率に基づく順に整列された推薦番組リストは、検索領域における実時間推薦番組リストタブに含まれて提供されてもよい。
【０１３６】
また、Ｓ１２０５で提供された現在放送中の番組の放送時間に近い順に整列された各チャンネル別の番組リストは、チャンネル別の番組案内タブを通じて提供されてもよい。
【０１３７】
また、前述した実時間推薦番組リストタブ及びチャンネル別の番組案内タブ以外にも、検索領域は、実時間推薦番組リストタブ及びチャンネル別の番組案内タブで提供された番組のうち、ユーザがあらかじめ選択した「お気に入り」の番組のうち現在放映されている番組のリストを提供する“放映中のお気に入りの番組タブ”をさらに含んでもよい。
【０１３８】
参照として、図１２には、検索領域提供部３４６が提供する検索領域に、現在放送中の番組の代表検索語、予想視聴率に基づく順に整列された推薦番組リスト及び現在放送中の番組の放送時間に近い順に整列された各チャンネル別の番組リストを順に提供するものと記載したが、本発明が必ずこのような順で提供されなければならないものではなく、これは、任意の順で実行される。
【０１３９】
前述した本発明の説明は、例示のためのものであり、本発明の属する技術分野における通常の知識を有する者は、本発明の技術的思想や必須的な特徴を変更せずに、他の具体的な形態に容易に変形可能であることを理解することができる。
【０１４０】
したがって、以上で記述した実施形態は、すべての面において例示的なものであり、限定的でないものと解すべきである。例えば、単一型に説明されている各構成要素は、分散されて実装されてもよく、同様に、分散されたものと説明されている構成要素は、結合された形態で実装されてもよい。
【０１４１】
本発明の範囲は、前述した詳細な説明ではなく特許請求範囲によって示され、特許請求範囲の意味及び範囲、そしてその均等概念から導き出されるすべての変更または変形された形態が本発明の範囲に含まれるものと解すべきである。
【符号の説明】
【０１４２】
３４１  検索ログＤＢ
３４２  検索エンジン
３４３  推薦検索語抽出部
３４４  番組情報抽出部
３４５  番組リスト提供部
３４６  検索領域提供部
３４７  検索結果提供部
３４８  番組切替部
【図１】
2010158025.tif 000003
【図２】
2010158025.tif 000004
【図３】
2010158025.tif 000005
【図４】
2010158025.tif 000006
【図５】
2010158025.tif 000007
【図１２】
2010158025.tif 000008
【図６】
2010158025.tif 000009
【図７】
2010158025.tif 000010
【図８】
2010158025.tif 000011
【図９】
2010158025.tif 000012
【図１０】
2010158025.tif 000013
【図１１】
2010158025.tif 000014